【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
１つまたは複数のディスプレイ層を備えるディスプレイスクリーンと、
単一の場所から前記ディスプレイスクリーンの内側表面または外側表面の１つを照明するように前記単一の場所に位置決めされ、第１のカメラで検知される第１の鏡面反射と第２のカメラで検知される第２の鏡面反射とを少なくとも発生させる照明装置と、
前記照明装置から照射される光を用いて、前記ディスプレイスクリーンの前記照射された表面の、少なくとも第１の領域と第２の領域の第１の画像を、見てかつキャプチャするように位置決めされた前記第１のカメラと、
前記照明装置から照射される光を用いて、前記ディスプレイスクリーンの前記照射された表面の、少なくとも前記第１の領域と前記第２の領域の第２の画像を、見てかつキャプチャするように位置決めされた前記第２のカメラと、
前記第１のカメラでキャプチャされた前記第１の画像内の前記第１の鏡面反射と比較して、少なくとも前記第１の鏡面反射が、マージされた画像内で少なくとも低減されるように、前記第１のカメラおよび前記第２のカメラからの、それぞれ前記第１の画像および前記第２の画像を重ね合わせるように構成された画像マージ機構と、
とを備え、
前記第１のカメラでキャプチャされた前記第１の画像が、
前記照射された表面の前記第１の領域に対応し、前記照射装置からの光により発生する前記第１の鏡面反射を含む、第１の画像部分と、
前記照射された表面の前記第２の領域に対応し、前記照射装置からの光により発生する前記第１および第２の鏡面反射がない、第２の部分と
を含み、かつ、
前記第２のカメラでキャプチャされた前記第２の画像が、
前記照射された表面の前記第２の領域に対応し、前記照射装置からの光により発生する前記第２の鏡面反射を含む、第３の画像部分と、
前記照射された表面の前記第１の領域に対応し、前記照射装置からの光により発生する前記第１および第２の鏡面反射がない、第４の部分と、
を含む、
対話型ディスプレイシステム。
【請求項２】
前記ディスプレイスクリーンの前記照明された表面を見るように位置決めされた第３のカメラをさらに備える、請求項１に記載の対話型ディスプレイシステム。
【請求項３】
前記照射装置が点灯されているときに、前記第３のカメラが、前記照射装置によって発生するすべての鏡面反射がない第３の画像をキャプチャすることができるように、前記照射装置が位置決めされた、請求項２に記載の対話型ディスプレイシステム。
【請求項４】
前記照明装置が前記１つまたは複数のディスプレイ層に対して中心から外れて位置決めされた、請求項３に記載の対話型ディスプレイシステム。
【請求項５】
前記照明装置が点灯されているときに、前記第３のカメラによってキャプチャされかつ検知された第３の画像内の第３の領域において第３の鏡面反射が発生するように前記第３のカメラが位置決めされており、前記第３の領域は前記第１および第２の領域とは異なっている、請求項２に記載の対話型ディスプレイシステム。
【請求項６】
前記ディスプレイスクリーンの前記照明された表面を見るように位置決めされた第４および第５のカメラをさらに備える、請求項５に記載の対話型ディスプレイシステム。
【請求項７】
前記照明装置が主に赤外領域内の光を放出する、請求項１に記載の対話型ディスプレイシステム。
【請求項８】
前記第１のカメラがたとえ前記第１の鏡面反射を受け取っても、前記第１のカメラにより撮られた、鏡面反射がない前記第２の画像部分にアクセスするステップと、
前記第２のカメラがたとえ前記第２の鏡面反射を受け取っても、前記第２のカメラにより撮られた、鏡面反射がない前記第４の画像部分にアクセスするステップと、
前記第１の画像の前記第２の画像部分と前記第２の画像の前記第４の画像部分とをマージするステップと、
によって、前記第１および第２のカメラからの前記第１および第２の画像を重ね合わせるように前記画像マージ機構が構成された、請求項１に記載の対話型ディスプレイシステム。
【請求項９】
前記第２の画像部分および前記第４の画像部分は重ね合わされると、ディスプレイスクリーンの実質的にすべてのディスプレイ可能な領域を表示する、請求項８に記載の対話型ディスプレイシステム。
【請求項１０】
前記第１の画像部分と前記第２の画像部分とが異なる大きさであり、
前記第１の画像部分の大部分が、前記第４の画像部分に対応し、かつ、鏡面反射のある、前記第２の画像内の領域に相当する、
請求項８に記載の対話型ディスプレイシステム。
【請求項１１】
前記第１の画像の前記第１の画像部分が矩形である、請求項１０に記載の対話型ディスプレイシステム。
【請求項１２】
前記画像マージ機構が、前記第２のカメラの撮影範囲内であって、かつ、前記第１のカメラの撮影範囲外の、前記ディスプレイスクリーンの領域に相当する第５の画像部分を、重ねあわされた前記画像に少なくとも添加することによって、前記第１および第２のカメラからの前記第１および第２の画像を重ね合わせるようにさらに構成されている、請求項８に記載の対話型ディスプレイシステム。
【請求項１３】
前記照明装置が主に紫外スペクトル内の光を放出する、請求項１に記載の対話型ディスプレイシステム。
【請求項１４】
前記対話型ディスプレイが対話型モードで作動している実質的にすべての時間、前記照明装置が点灯するように構成された、請求項１に記載の対話型ディスプレイシステム。
【請求項１５】
１つまたは複数のディスプレイ層と、
所定の位置に位置決めされている前記照明装置が点灯しているときに、前記第１のカメラによってキャプチャされた画像の鏡面反射領域において鏡面反射が発生する第１の位置で、前記１つまたは複数のディスプレイ層の照明された表面を見るように位置決めされた第１のカメラと、
前記照明装置が前記所定の位置から点灯されているときに、前記第２のカメラが、前記第１のカメラの前記鏡面反射領域の少なくとも一部分を、前記鏡面反射がキャプチャされずに、見て、かつ、キャプチャすることができる第２の位置で、前記１つまたは複数のディスプレイ層の照明された表面を見るように位置決めされた第２のカメラと、
を備えた対話型ディスプレイと一緒に使用するための画像マージ機構であって、  
前記第１のカメラでキャプチャされた前記鏡面反射のレベルと比較して、鏡面反射が少なくとも低減されるように、前記第１および第２のカメラからの画像を重ね合わせる行為を実行するように構成されている、画像マージ機構。
【請求項１６】
前記画像を重ね合わせる行為が、
前記第１のカメラがたとえ鏡面反射を受け取っても、前記第１のカメラで撮られた第１の画像の第１の部分には鏡面反射がない状態で、前記第１の画像の前記第１の部分にアクセスするステップと、
前記第２のカメラで撮られた第２の画像の第２の部分には鏡面反射がない状態で、前記第２の画像の前記第２の部分にアクセスするステップと、
前記第１の画像の前記第１の部分と前記第２の画像の前記第２の部分とをマージするステップと、
を含む、請求項１５に記載の画像マージ機構。
【請求項１７】
前記第１の画像の前記第１の部分と、前記第２の画像の前記第２の部分とが、重ね合わせられると、前記１つまたは複数のディスプレイ層の実質的にすべてのディスプレイ可能な領域を表す、請求項１６に記載の画像マージ機構。
【請求項１８】
前記第１の画像の前記第１の部分の大部分が、前記第２の画像内の鏡面反射がある部分に相当する、請求項１６に記載の画像マージ機構。
【請求項１９】
１つまたは複数のディスプレイ層を備えるディスプレイスクリーンと、
前記ディスプレイスクリーン層の内側または外側の表面の１つを照明する所定の位置に位置決めされた照明装置と、
前記照明装置が点灯されているときに、第１のカメラによってキャプチャされた画像の領域において鏡面反射が発生する位置で、前記１つまたは複数のディスプレイスクリーン層の前記照明された表面を見るように位置決めされた第１のカメラと、
前記照明装置が点灯されているときに、第２のカメラによってキャプチャされた画像の第２の部分において鏡面反射が発生する位置で、前記１つまたは複数のディスプレイスクリーン層の前記照明された表面を見るように位置決めされた第２のカメラであって、前記１つまたは複数のディスプレイスクリーン層の第２の領域において前記照明装置から反射された画像をキャプチャする第２のカメラと、
前記１つまたは複数のディスプレイスクリーン層の第３の領域において前記照明装置から反射された画像を第３のカメラがキャプチャする位置で、前記１つまたは複数のディスプレイスクリーン層の前記照明された表面を見るように位置決めされた第３のカメラと、
前記１つまたは複数のディスプレイスクリーン層の第４の領域において前記照明装置から反射された画像を第４のカメラがキャプチャする位置で、前記１つまたは複数のディスプレイスクリーン層の前記照明された表面を見るように位置決めされた第４のカメラと、
前記第１および第２のカメラに対して鏡面反射する領域からの画像をオーバーラッピングカメラがキャプチャする位置で、前記１つまたは複数のディスプレイスクリーン層の前記照明された表面を見るように位置決めされて、それ自体はそれらに相当する領域を鏡面反射なくキャプチャするオーバーラッピングカメラを備えた第５のカメラと、
を備えた対話型ディスプレイシステム。
【請求項２０】
前記照明装置が主に紫外スペクトル内の光を放出する、請求項１９に記載の対話型ディスプレイ。
【請求項２１】
前記照明装置が主に赤外スペクトル内の光を放出する、請求項１９に記載の対話型ディスプレイ。